(57)【特許請求の範囲】
【請求項１】
記録媒体が着脱されるものであって、媒体位置決め部が接続コネクタの収容される窓部に対応して設けられた媒体収容部と、
この媒体収容部に収容された前記記録媒体を抜脱するスライド部材と、
このスライド部材を、前記記録媒体の収容位置から着脱位置に移動させる歯車伝達機構と、
イジェクト操作子の操作に応動して前記歯車伝達機構を駆動して前記スライド部材を移動させ、前記記録媒体を前記媒体収容部の収容位置から着脱位置に排出する駆動源と、
前記記録媒体が着脱位置に移動された状態で、前記歯車伝達機構のいずれかの伝達歯車を歯車列から離脱させて動力非伝達状態とし、前記スライド部材の収容位置への移動を可能とし、且つ前記イジェクト操作子の操作に連動して前記歯車伝達機構の伝達歯車を歯車列に復帰させて動力伝達可能状態に切換え設定する伝達系切換え機構と、
を具備することを特徴とする記録媒体着脱装置。
【請求項２】
記録媒体が着脱されるものであって、媒体位置決め部及び接続コネクタの収容される窓部を有した媒体収容部の設けられた媒体収容ユニットと、
この媒体収容ユニットが積重配置されるものであって、前記媒体収容部に収容された前記記録媒体の先端部を係止する係止部を有し、該記録媒体を、前記媒体収容部の収容位置から着脱位置に移動させるスライド部材が移動自在に設けられた駆動ユニットと、
この駆動ユニットに設けられ、前記スライド部材を、前記記録媒体の収容位置から着脱位置に移動させる歯車伝達機構と、
イジェクト操作子の操作に応動して前記歯車伝達機構を駆動して前記スライド部材を移動させ、前記媒体収容部の記録媒体を前記収容位置から着脱位置に排出する前記駆動ユニットに設けられた駆動源と、
前記記録媒体の排出位置に移動された状態で、前記歯車伝達機構のいずれかの伝達歯車を歯車列から離脱させて動力非伝達状態とし、前記スライド部材の収容位置への移動を可能とし、且つ前記イジェクト操作子の操作に連動して前記歯車伝達機構の伝達歯車を歯車列に復帰させて動力伝達可能状態に切換え設定する前記駆動ユニットに設けられた伝達系切換え機構と、
を具備することを特徴とする記録媒体着脱装置。
【請求項３】
前記スライド部材には、前記媒体収容部に収容された前記記録媒体を着脱位置に排出するための排出操作部が設けられることを特徴とする請求項１又は２記載の記録媒体着脱装置。
【請求項４】
前記伝達系切換え機構は、電気・機械変換器を備え、前記電気・機械変換器の駆動制御により、前記スライド部材が着脱位置に移動された状態で、前記歯車伝達機構のいずれかの伝達歯車を歯車列から離脱させて動力非伝達状態とし、記録媒体排出時に前記伝達歯車を前記歯車伝達機構の歯車列に復帰させて動力伝達状態を形成することを特徴とする請求項１乃至３のいずれか記載の記録媒体着脱装置。
【請求項５】
前記伝達切換え機構は、前記歯車伝達機構の伝達歯車を、付勢部材を用いて歯車列から離脱させることを特徴とする請求項４記載の記録媒体着脱装置。
【発明の詳細な説明】
【技術分野】
【０００１】
この発明は、例えば放送機器に係り、特に、その放送素材収録・編集媒体を構成するメモリパック等の記録媒体を着脱するのに用いられる記録媒体着脱装置に関する。
【背景技術】
【０００２】
一般に、放送機器においては、記録媒体を機器本体に挿着して各種の映像等の収録等が行われ、収録後に、記録媒体を機器本体から取出して、収録した内容の編集等が行われている。このような機器本体に挿着される記録媒体は、使用者により機器本体に挿着され、機器本体から取出す場合に、イジェクト操作に連動して、電動的に排出する方法が採られている。
【０００３】
しかし、この記録媒体を機器本体に着脱する方法では、無電時や駆動モータが故障したような場合、収容位置の挿着した記録媒体を、機器本体から取出すことが困難となるとう問題を有する。
【０００４】
そこで、このような記録媒体を機器本体に着脱するための記録媒体着脱装置としては、ソケット本体の側部にいわゆるワンウェークラッチを用いた排出機構を備えて構成したもの提案されている（例えば、特許文献１参照。）。この排出機構は、収容位置に挿着された記録媒体を手動により排出時、ワンウェークラッチの作用により、伝達系がいわゆる空回りして排出動作が行われ、イジェクト操作子が操作されると、これに連動して駆動源からの駆動力が伝達されて、記録媒体を着脱位置に電動排出する。
【特許文献１】特開２００４−３００７８号公報
【発明の開示】
【発明が解決しようとする課題】
【０００５】
しかしながら、上記記録媒体着脱装置では、排出機構にワンウェークラッチを備えて手動による記録媒体の排出動作と、電動による排出動作とを選択的に実現している構成上、その排出機構の部品点数が多くなり、その構成が複雑となるという問題を有する。
【０００６】
この発明は、上記の事情に鑑みてなされたもので、簡易な構成で、信頼性の高い着脱動作を実現し得るようにして、使い勝手の向上を図った記録媒体着脱装置を提供することを目的とする。
【課題を解決するための手段】
【０００７】
この発明は、記録媒体が着脱されるものであって、媒体位置決め部が接続コネクタの収容される窓部に対応して設けられた媒体収容部と、この媒体収容部に収容された前記記録媒体を抜脱するスライド部材と、このスライド部材を、前記記録媒体の収容位置から着脱位置に移動させる歯車伝達機構と、イジェクト操作子の操作に応動して前記歯車伝達機構を駆動して前記スライド部材を移動させ、前記記録媒体を前記媒体収容部の収容位置から着脱位置に排出する駆動源と、前記記録媒体が着脱位置に移動された状態で、前記歯車伝達機構のいずれかの伝達歯車を歯車列から離脱させて動力非伝達状態とし、前記スライド部材の収容位置への移動を可能とし、且つ前記イジェクト操作子の操作に連動して前記歯車伝達機構の伝達歯車を歯車列に復帰させて動力伝達可能状態に切換え設定する伝達系切換え機構とを備えて記録媒体着脱装置を構成した。
【０００８】
上記構成によれば、記録媒体が媒体収容部に挿着されると、媒体位置決め部により位置決めされて窓部に配置された接続コネクタに電気的に接続されて収容され、イジェクト操作子が操作されると、伝達系切換え機構が歯車排出機構の伝達歯車を歯車列に復帰させて動力伝達可能状態に切換えると共に、駆動源が前記歯車排出機構を駆動制御して、前記スライド部材を移動させ、該スライド部材が前記記録媒体を着脱位置に排出させる。そして、この記録媒体が着脱位置に排出された状態で、前記伝達系切換え機構は、歯車排出機構の伝達歯車を歯車列から離脱させて動力非動力伝達状態に切換えて、前記スライド部材の移動を可能として、前記記録媒体の収容位置への挿着動作を可能とする。
【０００９】
これにより、簡単な構成を実現したうえで、スライド部材の司る収容位置における手動による排出操作及び電動による排出操作の双方が実現され、且つ、着脱位置における手動による挿着操作を実現することが可能となる。従って、信頼性の高い記録媒体の着脱操作が実現されて、使い勝手の向上を図ることが可能となる。
【発明の効果】
【００１０】
以上述べたように、この発明によれば、簡易な構成で、信頼性の高い着脱動作を実現し得るようにして、使い勝手の向上を図った記録媒体着脱装置を提供することができる。
【発明を実施するための最良の形態】
【００１１】
以下、この発明の実施の形態について、図面を参照して詳細に説明する。
【００１２】
図１は、この発明の一実施の形態に係る記録媒体着脱装置の外観構成を示すもので、駆動ユニット１０と媒体収容ユニット３０とが積重状に配置されている。この駆動ユニット１０及び媒体収容ユニット３０は、例えば別体に製作されて、積重状に組立て構成されることで、簡易な構成を実現したうえで、高精度な加工製作を実現することが可能となる。
【００１３】
このうち駆動ユニット１０には、スライド部材１１が支持体１２を介して矢印Ａ，Ｂ方向に移動自在に設けられている。このスライド部材１１には、例えば先端部に二つの係止爪１１１が所定の間隔を有して設けられている。この係止爪１１１は、図２に示すメモリパックと称する記録媒体１３の先端の両側部を係止して上記媒体収容ユニット３０の収容位置から着脱位置（排出位置）に排出案内する。
【００１４】
そして、上記スライド部材１１の基端部には、手動排出用の排出操作部１１２が突設されている。この排出操作部１１２は、使用者が手にして矢印Ａ方向に引っ張ることで、スライド部材１１の排出位置への移動を可能とする。
【００１５】
また、上記支持体１２には、電動排出用駆動モータ１４が配置されている。この駆動モータ１４には、図３に示すように駆動歯車１５が嵌着されている。そして、この駆動歯車１５には、歯車伝達機構１６の第１の伝達歯車１６１が噛合され、この第１の伝達歯車１６１には、第２の伝達歯車１６２が噛合される。
【００１６】
また、この第２の伝達歯車１６２には、矢印Ａ，Ｂ方向に直線移動自在に配置されたラック歯車１６３が噛合される。このラック歯車１６３は、上記スライド部材１１に螺子部材１７を用いて取付けられ、その直線移動に連動して上記スライド部材１１を矢印Ａ，Ｂ方向に移動させる。
【００１７】
上記第１の伝達歯車１６１は、伝達系切換え機構を構成する切換え部材１８の一端部に回転自在に支持される。この切換え部材１８の他端部には、電気・機械変換器であるプランジャーソレノイド１９の駆動軸１９１が取付けられる。
【００１８】
プランジャーソレノイド１９は、駆動電力が付与されると、駆動軸１９１を吸引して矢印Ｃ方向に引き込んで、切換え部材１８を同方向に移動させる。すると、切換え部材１８は、歯車伝達機構１６の第１の伝導歯車１６１を駆動歯車１５と第２の伝達歯車１６２との間に駆動力伝達可能に噛合させて、歯車伝達機構１６の歯車列を動力伝達状態に切換え設定する。
【００１９】
ここで、駆動歯車１５の回転力は、第１の伝導歯車１６１を経由して第２の伝達歯車１６２に伝達されて、ラック歯車１６３に伝達され、該ラック歯車１６３を矢印Ａ方向に移動させる。これにより、スライド部材１１は、ラック歯車１６３により、同方向に移動されて後述するように排出動作を実現する。
【００２０】
また、プランジャーソレノイド１９の駆動軸１９１には、付勢手段としてばね部材２０が、駆動（吸引）方向である矢印Ｃ方向と逆の歯車列離脱方向である矢印Ｄ方向に付勢力を付与するように係着されている。これにより、プランジャーソレノイド１９は、駆動電力が断たれると、駆動軸１９１がばね部材２０の付勢力により、矢印Ｄ方向に移動される。すると、切換え部材１８は、同方向に移動され、第１の伝導歯車１６３を駆動歯車１５と第２の伝達歯車１６２との噛合が解除させて歯車列から離脱させ、歯車伝達機構１６の歯車列を動力非伝達状態に切換え設定する。
【００２１】
他方の上記媒体収容ユニット３０には、媒体収容部３１が、上記記録媒体１３の形状寸法に対応して断面略矩形状に形成されている。この媒体収容部３１は、一端に挿着用開口を有し、他端にコネクタ挿着用の窓部３１１が設けられている（図４参照）。そして、この媒体収容部３１の上面及び両側部には、それぞれガイドばね部材３１２が記録媒体１３の３周壁面に対向して設けられている（図１及び図４参照）。
【００２２】
上記媒体収容部３１の窓部３１１には、例えば放送機器に接続された接続コネクタ３２が挿入されて位置決め配置される。そして、媒体収容部３１は、その開口側から記録媒体１３が挿入されると、該記録媒体１３の周壁面がガイドばね部材３１２に位置決めされ、所定の位置まで挿入される。すると、記録媒体１３は、その接続部（図示せず）が接続コネクタ３２に電気的に接続されて挿着される。
【００２３】
また、媒体収容部３１には、その底面に凹状の切欠き部３１３が上記スライド部材１１の係止爪１１１に対応して所定の間隔に形成されている（図４参照）。この媒体収容部３１の切欠き部３１３には、スライド部材１１の係止爪１１１が矢印Ａ，Ｂ方向に移動自在に収容されて、該係止爪１１１が媒体収容部３１に収容されている記録媒体１３の先端部の両側部に排出可能に係止される。
【００２４】
そして、このスライド部材１１は、その排出操作部１１２が媒体収容部３１の開口側より矢印Ａ方向への移動操作が可能に突出されている（図５参照）。この排出操作部１１２は、記録媒体１３の収容位置において、使用者により矢印Ａ方向に移動操作されて手動排出に供される。
【００２５】
即ち、記録媒体１３の収容状態においては、上記歯車駆動機構１６が、上述したようにプランジャーソレノイド１９の駆動力が断たれて、動力非伝達状態に切換え設定されている。この結果、スライド部材１１は、排出操作部１１２が矢印Ａ方向に移動操作されると、同方向に移動され、その係止爪１１１が上記媒体収容部３１の切欠き部３１３内を移動して記録媒体１３を着脱位置（排出位置）に排出移動させる。
【００２６】
次に、上記歯車伝達機構１６を選択的に駆動して、記録媒体１３の収容位置への挿着、収容位置に挿着した記録媒体１３の電動排出及び手動排出を可能とする記録媒体着脱制御系について図６を参照して説明する。
【００２７】
即ち、上記駆動モータ１４及びプランジャーソレノイド１９の各信号入力端には、制御部３３の出力端がそれぞれ接続されている。この制御部３３には、イジェクト操作子３４の出力端が接続され、このイジェクト操作子３４の操作により、イジェクト指令信号が入力される。
【００２８】
この制御部３３には、媒体処理部３５が接続され、入力したイジェクト指令信号を媒体処理部３５に出力する。この媒体処理部３５は、入力したイジェクト指令信号に応動して、例えば放送機器本体の媒体処理系を停止処理してイジェクト可能に設定してイジェクト信号を生成し、このイジェクト信号が制御部３３に出力される。
【００２９】
また、制御部３３には、上記駆動モータ１４の信号入力端及び上記プランジャーソレノイド１９の信号入力端がそれぞれ接続され、イジェクト信号に応動して各駆動信号を生成して駆動モータ１４及びプランジャーソレノイド１９を駆動制御する。このうちプランジャーソレノイド１９は、駆動信号の入力に応動して駆動され、駆動軸１９１をばね部材２０の付勢力に抗して矢印Ｃ方向に吸引する。これにより、歯車伝達機構１６は、第１の伝達歯車１６１が切換え部材１８を介して駆動歯車１５及び第２の伝達歯車１６２に噛合されて歯車列が動力伝達可能な歯車列が形成される。
【００３０】
一方、上記駆動モータ１４は、回転駆動されると、その駆動力が駆動歯車１５を経由して歯車伝達機構１６の第１及び第２の伝達歯車１６１，１６２に伝達され、ラック歯車１６３を矢印Ａ方向に直線移動させる。これにより、上記スライド部材１１１は、ラック歯車１６３と一体となり、矢印Ａ方向の着脱位置（排出位置）に排出される。
【００３１】
さらに、上記制御部３３には、記録媒体排出検出用のセンサ３６の出力端が接続されている。このセンサ３６は、例えば上記駆動ユニット１０の支持体１２に設けられ、上記スライド部材１１の司る着脱位置（排出位置）及び収容位置の二位置を検出して検出信号を制御部３３に出力する。制御部３３は、このセンサ３６からの検出信号に応動して駆動モータ１４及びプランジャーソレノイド１４に停止信号を出力してそれぞれを駆動停止させる。
【００３２】
プランジャーソレノイド１９は、その駆動が停止されると、駆動軸１９１がばね部材２０の付勢力により、矢印Ｄ方向に移動付勢され、切換え部材１８が、同方向に移動される。すると、歯車伝達機構１６は、その第１の伝達歯車１６１が駆動歯車１５及び第２の伝達歯車１６２の歯車列から離脱されて歯車列が動力非伝達状態に切換え設定される。この歯車伝達機構１６の動力非伝達状態では、媒体収容部３１による記録媒体１３の挿着及び手動による排出操作が可能となる。
【００３３】
上記構成において、制御部３３は、記録媒体１３が媒体収容ユニット３０の媒体収容部３１に挿着されて収容位置にローディングされている状態において、イジェクト操作子３４が操作されると、イジェクト指令信号が入力される。すると、制御部３３は、入力したイジェクト指令信号を媒体処理部３５に出力する。媒体処理部３５は、入力したイジェクト指令信号に応動して、例えば放送機器本体の媒体処理系を停止させてイジェクト信号を生成し、制御部３３に出力する。
【００３４】
制御部３３は、イジェクト信号に応動して駆動信号を生成して駆動モータ１４及びプランジャーソレノイド１９を駆動し、歯車伝達機構１６を作動して収容位置を司るスライド部材１１を矢印Ａ方向に移動させる。ここで、スライド部材１１は、その係止爪１１１で媒体収容部３１に収容された記録媒体１３を着脱位置（排出位置）に排出させ、この状態で使用者が記録媒体１３を手にして媒体収容部３１から離脱させる。
【００３５】
そして、制御部３３は、スライド部材１１が最も矢印Ａ方向に移動された排出位置（着脱位置）に到達して、これをセンサ３６が検出すると、その検出信号が入力される。すると、制御部３３は、停止信号を生成して駆動モータ１４及びプランジャーソレノイド１９に停止信号を出力し、それぞれを駆動停止させる。
【００３６】
ここで、プランジャーソレノイド１９は、その駆動軸１９１がばね部材２０により矢印Ｄ方向に移動され、歯車伝達機構１６の第１の伝達歯車１６１が歯車列から離脱されて、歯車列が動力非伝達状態に切換え設定される。これにより、スライド部材１１は、矢印Ｂ方向への移動が自由となり、記録媒体１３が媒体収容部３１に収容されると、これに連動して矢印Ｂ方向に移動され、該記録媒体１３の接続部（図示せず）が接続コネクタ３２に接続される。
【００３７】
また、上記記録媒体１３が収容位置に挿着されている状態において、例えば無電状態となったり、あるいは故障が発生したよう場合には、スライド部材１１の排出操作部１１２を矢印Ａ方向に引抜くように力を加えて記録媒体１３を手動排出させる。ここで、スライド部材１１は、上述したように歯車伝達機構１６が動力非伝達状態に切換え設定されていることで、同方向に移動され、その移動に連動して係止爪１１１で、記録媒体１３を係止して着脱位置に排出させる。
【００３８】
このように、上記記録媒体着脱装置は、スライド部材１１を排出移動させる歯車伝達機構１６の第１の伝達歯車１６１を、歯車列の選択形成を可能に移動自在に配置して、第１の伝達歯車１６１を、歯車列から離脱させた状態で、記録媒体１３が媒体収容部３１に挿着されて、該媒体収容部３１に配した接続コネクタ３２に電気的に接続され、その収容位置において、イジェクト操作子３４が操作されると、上記第１の伝達歯車１６１を歯車列に復帰させて動力伝達可能状態に切換えると共に、歯車排出機構１６を駆動制御して、スライド部材１１を移動させ、記録媒体１３を着脱位置に排出させた状態で、第１の伝達歯車１６１を歯車列から離脱させて動力非伝達状態に切換え、以後の記録媒体１３の収容位置への挿着動作を可能に構成した。
【００３９】
これにより、簡単な構成を実現したうえで、スライド部材１１の司る収容位置における手動による記録媒体１３の排出操作及び電動による排出操作の双方が実現され、且つ、着脱位置（排出位置）における手動による挿着操作を実現することが可能となる。この結果、無電時やモータ故障等においても信頼性の高い記録媒体１３の排出操作が実現されて、使い勝手の向上を図ることが可能となる。
【００４０】
なお、上記実施の形態では、プランジャーソレノイド１９を用いて歯車伝達機構１６の歯車列を断ったり、形成したりする伝達系切換え機構を構成した場合について説明したが、これに限ることなく、その他の伝達系切換え機構を構成するようにしてもよく、同様に有効な効果が期待される。
【００４１】
また、上記実施の形態では、歯車伝達機構１６を第１及び第２の伝達歯車１６１，１６２と、ラック歯車１６３を用いて歯車列構造のものを構成した場合について説明したが、これに限ることなく、その他、各種の歯車列構造のものを用いて構成することが可能である。
【００４２】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００４３】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００４４】
【図１】この発明の一実施の形態に係る記録媒体着脱装置をユニットで分解して示した分解斜視図である。
【図２】図１に着脱される記録媒体を取出して示した斜視図である。
【図３】図１の歯車伝達機構及び切換え構造を取出して示した斜視図である。
【図４】図１の媒体収容ユニットを取出して媒体収容部から上面側を外した状態を示した斜視図である。
【図５】図１を組立てた状態を示した斜視図である。
【図６】図１の記録媒体着脱制御系を示したブロック図である。
【符号の説明】
【００４５】
１０…駆動ユニット、１１…スライド部材、１１１…係止爪、１１２…排出操作部、１２…支持体、１３…記録媒体、１４…駆動モータ、１５…駆動歯車、１６…歯車伝達機構、１６１…第１の伝達歯車、１６２…第２の伝達歯車、１６３…ラック歯車、１７…螺子部材、１８…切換え部材、１９…プランジャーソレノイド、１９１…駆動軸、２０…ばね部材、３０…媒体収容ユニット、３１…媒体収容部、３１１…窓部、３１２…ガイドばね部材、３１３…切欠き部、３２…接続コネクタ、３３…制御部、３４…イジェクト操作子、３５…媒体処理部、３６…センサ。
【図１】
0005022982.tif 000002
【図２】
0005022982.tif 000003
【図３】
0005022982.tif 000004
【図４】
0005022982.tif 000005
【図５】
0005022982.tif 000006
【図６】
0005022982.tif 000007